(57)【要約】【課題】多様なサイズの書籍に適合させることができると共に、迅速且つ容易に装着することができるブックカバーを提供する。【解決手段】所定サイズの書籍の表紙部の面積に対応するカバー部１１と、表紙部の縦方向長さを越える第１の余剰部１３と、横方向長さを越える第２の余剰部１５とからなるカバー部材１０と、その一側部に設けられて上方に延びる舌状部２１と、その裏面の下端部に設けられて書籍の角部を差し込み可能なポケット部４０とからなるブックカバー１であって、ポケット部４０に舌状部の先端を係止させることができる長孔４２を設けた。第１及び第２の余剰部に設けられた折り曲げ線Ｌ、Ｍを折り曲げることで、書籍のサイズに応じたブックカバーを形成することができる。【選択図】 図２
2009285958.tif 000002
【特許請求の範囲】
【請求項１】
所定サイズの書籍の表紙部の面積に対応するカバー部（１１）と、前記表紙部の縦方向長さを越える第１の余剰部（１３）と、前記表紙部の横方向長さを越える第２の余剰部（１５）と、を含んで構成されるカバー部材（１０）と、
前記カバー部（１１）の裏面の下端部に設けられて前記書籍の角部を差し込み可能なポケット部（４０）と、からなるブックカバー。
【請求項２】
前記カバー部材（１０）の前記ポケット部（４０）が設けられている側の一側部に、上方に延びる舌状部（２１）を設け、
前記ポケット部（４０）に、前記舌状部（２１）を係止させることができる係止部（４２）を設けたことを特徴とする請求項１に記載のブックカバー。
【請求項３】
前記第１の余剰部（１３）及び第２の余剰部（１５）には、規格サイズの書籍の縦方向長さ及び横方向長さに対応する位置に、折り曲げ誘導線（Ｌ、Ｍ）が設けられていることを特徴とする請求項１又は請求項２に記載のブックカバー。
【請求項４】
前記舌状部（２１）は、前記カバー部（１１）の一側縁に沿って取り付けられた帯状部材（２０）によって構成されたことを特徴とする請求項２又は請求項３の何れかの請求項に記載のブックカバー。
【請求項５】
前記カバー部（１１）には、補強部材（３０）が貼り合わされていることを特徴とする請求項１〜請求項４の何れか１つの請求項に記載のブックカバー。
【発明の詳細な説明】
【技術分野】
【０００１】
本発明は、書籍の表紙部を保護するためのブックカバーに関し、特に、多様なサイズの書籍に適合させることができると共に、迅速且つ容易に装着することができるブックカバーに関する。
【背景技術】
【０００２】
書籍を購入した際には、図８に示すように、包装紙の上下を書籍の縦方向長さに合わせて裏面側に折り曲げた後、一側部を裏面側に折り曲げ、その一側部の折り曲げと上下の折り曲げによって生じたポケットに書籍の一方の表紙部を差し込み、他方の表紙部の横方向長さに合わせて包装紙の他側部を折り曲げ、その折り曲げと上下の折り曲げによって生じたポケットに書籍の他方の表紙部を差し込むことによって、包装を兼ねたカバーが装着されることが多い。
【０００３】
一方で、包装用のカバーを取り外し、布、皮、ビニール等の素材からなる耐久性及び意匠性に優れたブックカバーを装着する需要者も存在し、このような需要者に使用されるブックカバーとして、例えば特許文献１に示すものが提案されている。
このブックカバーは、カバーの本体シートの裏面の一端側に一方の表紙部を挿入するための表紙差込用ポケット部を設け、本体シートの裏面の途中位置に他方の表紙部が挿通される表紙挿通用帯部を設け、本体シートの他端側にはその表紙部を越える部分を表紙の裏側へ折り曲げて表紙挿通用帯部に差し込み係止するための折り曲げ用余剰部を設けたもので、厚みの異なる書籍に対応できるようにしたものである。
【特許文献１】特開２００３−７２２６１号公報
【発明の開示】
【発明が解決しようとする課題】
【０００４】
しかしながら、特許文献１に開示のブックカバーは、厚みの異なる書籍に使用することはできるが、菊判サイズ（約１５２ｍｍ×１８８ｍｍ）、四六版サイズ（約１２７ｍｍ×１８８ｍｍ）、新書版サイズ（約１０３ｍｍ×１８２ｍｍ）等、サイズの異なる書籍のカバーとして共用することはできない。
このため、ブックカバーを購入する際には、書籍のサイズに応じたものを購入する必要があるので、予め書籍のサイズを調べておかなければならない、といった不都合があった。
【０００５】
また、出版社ごとに書籍の縦横の長さが微妙に異なることが多いので、ぴったり適合するブックカバーを見つけ出すことができない場合がある。このような場合、大きめのブックカバーを使用せざるを得ず、ブックカバーの上端部が書籍から大きくはみ出した状態になるので、見た目が悪く、カバーが外れ易いといった問題があった。
包装紙を図８の如く折ってブックカバーを兼ねた商品包装とする場合は、書籍のサイズに関わらずカバーを装着することはできるが、書籍の大きさに合わせて包装紙の上下を折り曲げるので、折る位置の設定が難しく、不慣れな者にとっては装着に時間がかかる。このため、書店で本を購入する際には、包装されるまで長く待たされる場合があった。
【０００６】
また、書籍の包装には書店名の付された包装紙が使用されることが多いので、デザイン性が低く、ブックカバーとしての耐久性も低かった。
そこで、本発明は、多様なサイズの書籍に適合させることができ、迅速且つ容易に装着することができるブックカバーの提供を目的とする。
【課題を解決するための手段】
【０００７】
上記課題を解決するために、本発明に係るブックカバーは、所定サイズの書籍の表紙部の面積に対応するカバー部と、前記表紙部の縦方向長さを越える第１の余剰部と、前記表紙部の横方向長さを越える第２の余剰部と、を含んで構成されるカバー部材と、前記カバー部の裏面の下端部に設けられて前記書籍の角部を差し込み可能なポケット部と、からなるものである。
ここでいう「所定サイズの書籍」とは、書店で広く販売されている書籍のうち、比較的サイズの小さい書籍、又は標準的なサイズの書籍をいう。また、「表紙部」とは、書籍の表表紙、背表紙及び裏表紙をいう。
【０００８】
本発明において、前記カバー部材の前記ポケット部が設けられている側の一側部に、上方に延びる舌状部を設け、前記ポケット部に、前記舌状部を係止させることができる係止部を設けてもよい。
また、前記第１の余剰部及び第２の余剰部には、規格サイズの書籍の縦方向長さ及び横方向長さに対応する位置に、折り曲げ誘導線が設けられていてもよい。
また、前記舌状部は、前記カバー部の一側縁に沿って取り付けられた帯状部材によって構成されたものであってもよい。
さらに、前記カバー部には、補強部材が貼り合わされていてもよい。
【発明の効果】
【０００９】
請求項１に係る発明は、所定サイズの書籍の表紙部の面積に対応するカバー部に加えて、表紙部の縦方向長さを越える第１の余剰部と、カバー部の裏面の下端部にポケット部を設けたので、書籍の表紙部の下方の角部をポケット部に差し込んだ後、書籍の上端に合わせて第１の余剰部を折り曲げることで、容易に縦方向の長さを設定することができる。
【００１０】
また、カバー部材の他側部に、表紙部の横方向長さを越える第２の余剰部を設けたので、この第２の余剰部を任意の位置で折り曲げることで、書籍の横方向の長さ（即ち、表表紙・裏表紙の横の長さ、及び書籍の厚み）に関わらず、書籍のサイズに適合したブックカバーを形作ることができる。
これによって、規格の書籍サイズごとに、各種のブックカバーを取り揃える必要がなくなる。また、気に入ったデザインのブックカバーを見つけた際には、書籍のサイズが解からない場合であっても、気軽に購入することができるようになる。
【００１１】
また、書籍の下方の角部をポケットに差し込んだ状態で、カバー部材の上端部及び他端部を書籍のサイズに合わせて折り曲げるので、このブックカバーを書店における書籍包装具として利用することで、迅速な書籍包装が可能となる。
請求項２に係るブックカバーは、カバー部材の一側部の上方に舌状部を設け、ポケット部に設けられた係止部に舌状部を係止させるようにしたので、ポケット部を袋状にすることができ、ポケット部から書籍の表紙部が抜け出しにくくなる。
【００１２】
請求項３に係るブックカバーは、舌状部を、カバー部の一側縁に沿って取り付けられた帯状部材によって構成したので、カバー部材に帯状部材を貼り合せることによって、容易にブックカバーを製造することができる。
また、帯状部材にデザイン性の高いものを用いることによって、使用者の趣味感に訴えることができるし、ロゴマークなどが付されたものを用いることによって、宣伝効果を生じさせることもできる。
【００１３】
請求項４に係るブックカバーは、カバー部に補強部材を貼り合わせたので、ブックカバーとしての耐久性が向上される。
また、補強部材にデザイン性の高いものを用いることによって、使用者の趣味感に訴えることができるし、ロゴマークなどが付されたものを用いることによって、宣伝効果を生じさせることもできる。
【発明を実施するための最良の形態】
【００１４】
本発明の好適な実施形態について、添付図面に基づいて説明する。なお、実施形態は以下の形態に限定されるものではなく、本発明の課題を解決し得るものであれば他の態様も可能である。
【００１５】
図１は、本発明の実施形態に係るブックカバー１を示す平面図である。
このブックカバー１は、書籍を保護又は包装するためのものであり、カバー部材１０と、帯状部材２０と、補強部材３０とによって構成されている。
カバー部材１０は、書籍の表表紙から背表紙を経て裏表紙にわたる表紙部を覆う部材であり、紙などの折り曲げ可能なシート材からなる。
【００１６】
このカバー部材１０は、図２に示すように、所定サイズの書籍の表紙部に対応する面積のカバー部１１と、当該書籍の表紙部の縦方向長さを越える第１の余剰部１３と、横方向長さを越える第２の余剰部１５とによって構成されている。
カバー部１１は、このブックカバー１を使用可能な書籍のうち最も小さなサイズの書籍（例えば、新書）の表紙部の大きさに対応する領域である。
【００１７】
このカバー部１１の一側部には、帯状部材２０が貼り付けられており、裏面には、該一端部側の下端部にポケット部４０が形成されている。
このポケット部４０は、書籍表紙部の下方の角部を差し込んで保持するための部位であり、図３に示す形状のカバー部材用のシートＡを用い、このシートＡの一側の下縁部４１を接合することによって形成されている。
【００１８】
ポケット部４０には、帯状部材２０の先端の舌状部２１を差し込んで係止させることができる長孔４２が、縦方向に複数並べた状態で設けられている。この長孔４２は、舌状部２１を差し込みやすくするために、凸状の緩やかな曲線となっている。
カバー部１１の一側部には、図１に示すように、帯状部材２０が貼り付けられている。帯状部材２０は、その先端の舌状部２１においてポケット部４０の長孔４２に係止させることによって、袋状のポケットを構成するための部位である。
この帯状部材２０にデザイン性の高いものを用いたり、図４に示すように、ロゴマークなどの付されたものを用いることによって、デザイン効果や宣伝効果を発揮させることができる。
【００１９】
カバー部１１の帯状部材２０の貼り付けられた部位を除く領域には、布、皮、ビニール等などによって構成された補強部材３０が貼り付けられている、この補強部材３０をデザイン性の高い化粧シートで構成することによって、使用者の趣味感に訴えることができる。
カバー部１１の上方には、当該書籍の表紙部の縦方向長さを越える第１の余剰部１３が形成されており、その第１の余剰部１３の一側部には、書籍の側縁に沿って折り曲げることで書籍を保護するための側縁保護部１４が設けられている。
【００２０】
カバー部１１と第１の余剰部１３とは、筋付けされた第１の折り曲げ線Ｌ１によって区画付けられている。
この第１の折り曲げ線Ｌ１は、このブックカバーを使用可能な書籍のうち最も小さな規格サイズ（新書の場合、約１０３ｍｍ×１８２ｍｍ）の書籍の縦方向の長さに対応する高さに位置しており、その上方には、他の規格サイズ（例えば、菊判サイズ、四六判サイズ等）に対応する折り曲げ線Ｌ２、Ｌ３・・・が筋付けされている。
【００２１】
カバー部１１の帯状部材２０が貼付されていない側の側方には、第２の折り曲げ線Ｍ１を介して第２の余剰部１５が形成されている。
この第２の余剰部１５は、このブックカバーを使用可能な書籍のうちで最も小さな規格サイズの横方向長さを越える領域である。
第２の折り曲げ線Ｍ１は、新書などの比較的小さなサイズ（例えば、１０３ｍｍ×１８２ｍｍ）の書籍の横方向の長さに対応する位置に付されており、その側方には、複数の折り曲げ線Ｍ２、Ｍ３・・・が筋付けされている。
【００２２】
これらの折り曲げ線Ｍ２、Ｍ３・・・は、書籍の厚みと横方向のサイズとに合わせて、適宜選択して折り曲げることができるように、第２の折り曲げ線Ｍ１に対して細かい間隔を開けて平行に設けられている。
これらの折り曲げ線Ｍ１、Ｍ２、Ｍ３・・・の付された領域の側方には、第３の余剰部１７が設けられており、その上下端部には折り返し部１８が設けられている。この折り返し部１８は、書籍の上縁又は下縁に沿って折り曲げることで、表紙部を保持するためのポケットを形成するための部位である。
【００２３】
第３の余剰部１７の表面には、図１に示すように、帯状の書籍差込部１９が設けられている。
このブックカバー１を小さなサイズの書籍に装着する場合には、表紙部の横方向長さに合わせて第２の余剰部１５を折り込んだ際、はみ出した部分を更に裏側に折り込んで収納する必要があるが、この裏側に折り込まれた部分に設けられた書籍差込部１９に、書籍の表紙部を差し込むことで、書籍の双方の表紙部をしっかり保持することができる。
上記構成のブックカバーの使用状態を説明する。
【００２４】
図４のように、新書等のサイズの小さい書籍に装着する場合は、先ず、図５（ａ）に示すように、側縁保護部１４を内側に折り畳んだ状態で、ポケット部４０に一方の表紙部２ａ（例えば表表紙）の角部を差し込み、書籍の上端部に合わせて、第１の余剰部１３に設けられた折り曲げ線Ｌ１を折り曲げる。
そして、他方の表紙部２ｂ（例えば裏表紙）の側縁に合わせて、第２の余剰部１５に設けられた折り曲げ線Ｍｎを折り曲げる。
【００２５】
この折り曲げ線Ｍｎで折り曲げた部分が、書籍の他方の表紙部２ｂの横方向長さに収まらない場合は、図５（ｃ）に示すように、折り曲げ線Ｍｍを内側に向けて折り曲げる。すると、第3の余剰部１７の表面に設けられた書籍差込部１９が表れ、その状態で折り曲げ線Ｍｎを内側に折り曲げる。折り曲げられた際に内側に入り込んだ書籍差込部１９に、表紙部２ｂの側縁を差し込むことによって、図４（ｂ）の状態に、ブックカバーを装着することができる。
【００２６】
厚みのある書籍や、横方向に若干長い書籍の場合は、第２の余剰部１５によって調節可能となる（図４（ｃ）参照）。
比較的大きなサイズの書籍に装着する場合は、書籍の上端部に合わせて、第１の余剰部
１３に設けられた折り曲げ線Ｌを折り曲げる。そして、側縁保護部１４で表紙部２ａの側縁上部を覆い、舌状部２１をポケット部４０の長孔４２に差し込む。その後、折り返し部１８を内側に折り返した状態で、表紙部２ｂの横方向長さにあわせて、第２の余剰部１５に設けられた折り曲げ線Ｍを折り曲げる。
【００２７】
この折り曲げ線Ｍによる折り曲げと、折り返し部１８，１８における折り曲げとによってポケット状の差し込み部が生じ、この差し込み部に書籍の表紙部２ｂを差し込むことで、図６に示すように、ブックカバーを装着することができる。
これによって、比較的大きなサイズの書籍にも適用可能となるので、規格の書籍サイズごとに、各種のブックカバーを取り揃える必要がなくなる。また、書籍のサイズが解からない場合であっても、気に入ったデザインのブックカバーを購入することができるようになる。
【００２８】
このように本実施形態のブックカバーによれば、書籍の角部をポケットに差し込んだ状態でカバー部材の上端部及び他端部を書籍の大きさに合わせて折り曲げるので、迅速且つ容易に書籍に装着することができる。
また、第１の余剰部１３と第２の余剰部１５を設けたので、縦方向と横方向のサイズが異なる書籍についても汎用することができる。
【００２９】
なお、本実施形態においては、筋付けされた折り曲げ線Ｌを、第１及び第２の余剰部１３，１５に設けたが、折り曲げを誘導しうるものであれば、如何なるものであってもよく、例えば、ミシン目や印刷された直線であってもよい。
また、図７に示すように、第３の余剰部１７に設けられた帯状の書籍差込部１９’は、書籍の角部を差し込むことができる形状の長孔であってもよいし、設けられていなくてもよい。
【００３０】
また、ポケット部４０に設けられた係止部は、例えば面ファスナー４３のように、舌状部２１と接着可能なものであってもよい。
また、舌状部２１は、帯状部材２０の先端部として構成するのではなく、カバー部材１０に接合された舌片として構成してもよい。或いは、舌片部２１を設けず、第１の余剰部１３の折り込みと側縁保護部１４とによって書籍の上縁部を保持するようにしてもよい。
さらに、帯状部材２０と補強部材３０を一体にしてもよいし、補強部材３０を貼り付けることなく、帯状部材２０のみによってデザイン性を持たせてもよい。
【産業上の利用可能性】
【００３１】
上述の発明は、書籍包装用の包装部材としても利用可能である。
【図面の簡単な説明】
【００３２】
【図１】本発明の実施形態に係るブックカバーの正面図である。
【図２】上記ブックカバーの背面図である。
【図３】上記ブックカバーのカバー部材を示す展開図である。
【図４】上記ブックカバーの装着された書籍を示し、（ａ）は書籍を閉じた状態であり、（ｂ）は書籍の表紙部を開いた状態であり、（ｃ）は書籍を開いた状態を表側から見た状態である。
【図５】上記ブックカバーを書籍に装着する状態を示す説明図である。
【図６】大きなサイズの書籍に装着した状態を示す斜視図である。
【図７】本実施形態の変形例を示す正面図である。
【図８】従来の書籍を包装する状態を示す説明図である。
【符号の説明】
【００３３】
１・・・ブックカバー
２・・・表紙部
１０・・・カバー部材
１１・・・カバー部
１３・・・第１の余剰部
１４・・・側縁保護部
１５・・・第２の余剰部
１７・・・第３の余剰部
１８・・・折り返し部
１９、１９’・・・書籍差込部
２０・・・帯状部材
２１・・・舌状部
３０・・・補強部材
４０・・・ポケット部
４１・・・下縁部
４２・・・長孔（係止部）
４３・・・面ファスナー  
Ｌ・・・第１の折り曲げ線（折り曲げ誘導線）  
Ｍ・・・第２の折り曲げ線（折り曲げ誘導線）  
【図１】
2009285958.tif 000003
【図２】
2009285958.tif 000004
【図３】
2009285958.tif 000005
【図４】
2009285958.tif 000006
【図５】
2009285958.tif 000007
【図６】
2009285958.tif 000008
【図７】
2009285958.tif 000009
【図８】
2009285958.tif 000010